(57)【要約】【課題】シートの搬送性を確保しつつ、シート供給容量の減少を抑え装置の小型化を可能としたシート供給装置を得る。【解決手段】上流側の給紙機構２６に設けられるフレーム４０の下部フレーム４０Ａに、下流側の用紙ＰＳの後端角部Ｃに対応させて開口部４２を形成する。下流側の用紙ＰＳが低湿環境下でカール等の変形を起こしても、開口部４２が逃げ部となって用紙ＰＳの後端角部Ｃが上流側の給紙機構２６の下部フレーム４０Ａに接触することはなく、用紙ＰＳの搬送性が確保される。【選択図】図３
2007119092.tif 000002
【特許請求の範囲】
【請求項１】
シートが積載される並列配置された複数のトレイと、その複数のトレイに対応して設けられた複数のシート供給機構と、を備えるとともに、前記複数のトレイのうちシート供給方向の下流側に配置された下流側トレイの上方に上流側トレイのシート供給機構が配置されたシート供給装置において、
前記上流側トレイに対応して設けられた上流側シート供給機構の下面部に、前記下流側トレイに積載されたシートの変形によるシートとの接触を回避するための接触回避手段が設けられていることを特徴とするシート供給装置。
【請求項２】
前記接触回避手段は、前記下流側トレイに積載されたシートの後端角部に対応して前記上流側シート供給機構の下面部に設けられた開口部であることを特徴とする請求項１記載のシート供給装置。
【請求項３】
前記接触回避手段は、前記下流側トレイに積載されたシートから離間する方向へ曲げ形成された前記上流側シート供給機構の下面部であることを特徴とする請求項１記載のシート供給装置。
【請求項４】
前記接触回避手段は、前記上流側シート供給機構の下面部に設けられ前記下流側トレイに積載されたシートから離間する方向へ曲げ形成された曲げ部であることを特徴とする請求項１記載のシート供給装置。
【請求項５】
前記複数のシート供給機構が同一構成とされていることを特徴とする請求項１〜請求項４の何れか１項記載のシート供給装置。
【請求項６】
前記並列配置された複数のトレイに積載されるシートよりもサイズの大きいシートが積載される大型トレイと、その大型トレイに対応して設けられた前記複数のシート供給機構と同一構成のシート供給機構とが、並列配置された複数のトレイの上方又は下方に１組以上設けられていることを特徴とする請求項５記載のシート供給装置。
【請求項７】
請求項１〜請求項６の何れか１項記載のシート供給装置を備え、そのシート供給装置から供給されたシート状の記録媒体に対し画像形成部で画像を形成することを特徴とする画像形成装置。
【発明の詳細な説明】
【技術分野】
【０００１】
本発明は、シート供給装置及び画像形成装置に係り、詳細には、用紙等のシート状の記録媒体を積載する複数のトレイが並列配置された給紙装置等に適用されるシート供給装置、及び、そのシート供給装置から供給されたシート状の記録媒体に対し画像形成部で画像を形成する画像形成装置に関する。
【背景技術】
【０００２】
画像形成装置に搭載されて画像形成部に用紙を供給する給紙装置では、装置の省スペース化を図りつつ、使用頻度の高い小サイズ（Ａ４サイズやレターサイズ等）用紙の大量給紙を可能とするために、小サイズ用紙を収容する給紙カセットを略水平に並列配置したものがある（例えば、特許文献１〜３参照）。
【特許文献１】特開平６−２３６０８５号公報
【特許文献２】特開平７−１２１０８４号公報
【特許文献３】特開平１０−１９４４８６号公報
【発明の開示】
【発明が解決しようとする課題】
【０００３】
しかしながら、上記の構成では、図７（Ａ）、（Ｂ）に示すように、給紙方向（図７（Ａ）の矢印Ａ，Ｂ方向）における下流側の給紙トレイ１００に積載された用紙ＰＢが低湿環境下でカール等の変形を起こすと、用紙ＰＢの後端角部Ｃ付近で、上流側の用紙ＰＡを送り出す分離給紙手段（ピックアップロール１０６、フィードロール１０８、リタードロール１１０）を備える給紙機構１０２のフレーム１０４下面部に強く接触し、搬送抵抗を受けてジャムになる場合がある。そのため、良好な搬送性を確保するには、カール等の用紙の変形が生じても、上流側の分離給紙手段を保持するフレームに接触しないよう上下方向に十分なスペースを取る必要があり、そのことが給紙容量の減少を招き、装置の更なる小型化を阻害する要因となっている。
【０００４】
本発明は上記事実を考慮して、シートの搬送性を確保しつつ、シート供給容量の減少を抑え装置の小型化を可能としたシート供給装置及び画像形成装置を提供することを課題とする。
【課題を解決するための手段】
【０００５】
上記目的を達成するために請求項１に記載の発明は、シートが積載される並列配置された複数のトレイと、その複数のトレイに対応して設けられた複数のシート供給機構と、を備えるとともに、前記複数のトレイのうちシート供給方向の下流側に配置された下流側トレイの上方に上流側トレイのシート供給機構が配置されたシート供給装置において、前記上流側トレイに対応して設けられた上流側シート供給機構の下面部に、前記下流側トレイに積載されたシートの変形によるシートとの接触を回避するための接触回避手段が設けられていることを特徴としている。
【０００６】
本発明では、下流側トレイに積載されたシートが低湿環境下でカール等の変形を起こしても、上流側シート供給機構の下面部に設けられた接触回避手段により、下面部とシートの接触が回避されるため、シートに対して上流側シート供給機構を離間させなくてもシートの搬送性を確保することができる。これにより、シートの搬送性を確保しつつ、シート供給容量の減少が抑えられるようになり、装置の小型化が可能になる。
【０００７】
請求項２に記載の発明は、請求項１記載のシート供給装置において、前記接触回避手段は、前記下流側トレイに積載されたシートの後端角部に対応して前記上流側シート供給機構の下面部に設けられた開口部であることを特徴としている。
【０００８】
本発明では、上流側シート供給機構の下面部に設けた開口部によって接触回避手段を構成することにより、接触回避手段を簡単に形成することができる。また、この開口部は下流側トレイに積載されたシートの後端角部に対応させ開口領域を制限しているため、開口部を設けることでの下面部の強度低下が抑えられる。
【０００９】
請求項３に記載の発明は、請求項１記載のシート供給装置において、前記接触回避手段は、前記下流側トレイに積載されたシートから離間する方向へ曲げ形成された前記上流側シート供給機構の下面部であることを特徴としている。
【００１０】
本発明では、下流側トレイに積載されたシートから離間する方向へ曲げ形成した上流側シート供給機構の下面部によって接触回避手段を構成することにより、下面部の強度低下が抑えられる接触回避手段を簡単に形成することができる。
【００１１】
請求項４に記載の発明は、請求項１記載のシート供給装置において、前記接触回避手段は、前記上流側シート供給機構の下面部に設けられ前記下流側トレイに積載されたシートから離間する方向へ曲げ形成された曲げ部であることを特徴としている。
【００１２】
本発明では、上流側シート供給機構の下面部に設けた曲げ部によって接触回避手段を構成することにより、下面部の強度低下が抑えられる接触回避手段を簡単に形成することができる。また、例えば下流側トレイに積載されたシートの後端角部に対応させて曲げ部を設けるなど、下面部の所定領域のみを曲げ形成した場合には、シートの良好な搬送性を確保しつつ、シート供給機構内に設ける分離シート供給手段等の設置スペースの減少を抑えることができる。
【００１３】
請求項５に記載の発明は、請求項１〜請求項４の何れか１項記載のシート供給装置において、前記複数のシート供給機構が同一構成とされていることを特徴としている。
【００１４】
本発明では、複数のシート供給機構を同一構成とすることで、構成部品の共通化や組立工程の同一化を図ることができ、例えば異なる構成の複数種類のシート供給機構を設ける場合に比べて、シート供給機構の製造コストが抑えられる。
【００１５】
請求項６に記載の発明は、請求項５記載のシート供給装置において、前記並列配置された複数のトレイに積載されるシートよりもサイズの大きいシートが積載される大型トレイと、その大型トレイに対応して設けられた前記複数のシート供給機構と同一構成のシート供給機構とが、並列配置された複数のトレイの上方又は下方に１組以上設けられていることを特徴としている。
【００１６】
本発明では、サイズの大きいシートへの画像形成に対応するために、大型トレイとそのシート供給機構を１組以上設ける場合、大型トレイに対応して設けるシート供給機構も、並列配置された上記複数のトレイに対応する複数のシート供給機構と同一構成とすることで、シート供給機構のコストアップが抑えられる。また、この大型トレイとシート供給機構を、並列配置された複数のトレイの上方又は下方に配置することで、シート供給装置全体を小型に構成することができる。
【００１７】
請求項７に記載の発明に係る画像形成装置は、請求項１〜請求項６の何れか１項記載のシート供給装置を備え、そのシート供給装置から供給されたシート状の記録媒体に対し画像形成部で画像を形成することを特徴としている。
【００１８】
上記のシート供給装置を備えた画像形成装置であれば、シート供給装置でのシート状記録媒体の搬送性を確保しつつ、記録媒体供給容量の減少が抑えられ装置の小型化が可能となる。
【発明の効果】
【００１９】
本発明のシート供給装置及び画像形成装置によれば、シートの搬送性を確保しつつ、シート供給容量の減少が抑えられ装置の小型化が可能となる。
【発明を実施するための最良の形態】
【００２０】
以下、図面を参照して本発明の実施形態に係るシート供給装置が適用された給紙装置、及び、その給紙装置が搭載された画像形成装置について説明する。
【００２１】
図１に示す本実施形態の画像形成装置１０は、電子写真方式を用いた複写機であり、図示のように、画像形成装置本体１２の上面部に、原稿トレイに載置された原稿を画像読取位置に自動で送り込み、画像読取後に自動で排出する自動原稿送り装置１４が設けられている。
【００２２】
画像形成装置本体１２の内部には、自動原稿送り装置１４から送り込まれた原稿の画像を読み取って画像信号に変換する原稿読み取り部１６、原稿読み取り部１６からの画像信号に基づいて用紙に画像（トナー像）を形成する画像形成部１８、画像形成部１８に対して用紙を供給する給紙装置２０、及び、画像形成部１８に供給する用紙の搬送方向に対する曲がりを補正する用紙整合装置８０が設けられている。
【００２３】
図２に示すように、給紙装置２０は、使用頻度の高いＡ４サイズやレターサイズ等の小サイズ用紙ＰＳが収容される２つの小型給紙カセット２２Ａ，２２Ｂ、Ａ３サイズ等の大サイズ用紙ＰＬが収容される２つの大型給紙カセット２４Ａ，２４Ｂ、これらの給紙カセット２２Ａ，２２Ｂ，２４Ａ，２４Ｂから用紙Ｐ（ＰＳ，ＰＬ）を送り出す給紙機構２６Ａ，２６Ｂ，２６Ｃ，２６Ｄ、送り出された用紙Ｐを画像形成部１８へ案内するための用紙搬送路２８、及び、用紙搬送路２８に沿って用紙を画像形成部１８側へ搬送する複数の搬送ロール対３０を備えている。
【００２４】
小型の給紙カセット２２Ａ，２２Ｂは、それぞれ大量（例えば１５００枚）の小サイズ用紙ＰＳが積み重ねられた状態で収容される。また、各々が略水平方向で且つ給紙方向の上流側と下流側に並列して近接するとともに、上流側（図２では右側）の給紙カセット２２Ａの方が、下流側（図２では左側）の給紙カセット２２Ｂよりも少し上方に位置して段違いに配置されている。
【００２５】
給紙カセット２２Ａ，２２Ｂの内部には、モータを駆動源とする図示しない昇降機構によって上下方向に移動可能とされたトレイ３２が設けられており、小サイズ用紙ＰＳはこのトレイ３２上に積載されて給紙カセット２２Ａ，２２Ｂ内に収容される。
【００２６】
また、大型の給紙カセット２４Ａ，２４Ｂは、並列配置された給紙カセット２２Ａ，２２Ｂの上方に略二段重ねで配置されており、それぞれ大サイズ用紙ＰＬが積み重ねられた状態で収容される。
【００２７】
給紙カセット２２Ａ，２２Ｂ，２４Ａ，２４Ｂにそれぞれ対応して設けられた給紙機構２６（２６Ａ〜２６Ｄ）は、同一構成とされて構成部品の共通化が図られている。この給紙機構２６は、給紙カセット内の最上の用紙Ｐを給紙方向へ繰り出すためのピックアップロール３４、繰り出された用紙Ｐを１枚ずつ送り出すためのフィードロール３６及びリタードロール３８と、図示は省略したがそれらの各ロールを回転可能に支持する支持機構、各ロールを回転駆動する駆動源としてのモータ、及びモータの回転力を各ロールに伝える回転力伝達機構等を備えており、それらの各部品がフレーム４０内に収容されて構成されている。
【００２８】
また、上流側の給紙カセット２２Ａに対応する給紙機構２６Ａについては、フレーム４０の下面部を構成する下部フレーム４０Ａが、下流側の給紙カセット２２Ｂのトレイ３２に積載された小サイズ用紙ＰＳの後端部に対して上方に近接配置されている。
【００２９】
給紙装置２０の上方には、用紙整合装置８０が用紙搬送路２８の下流端部（上端部）に接続されて配置されており、用紙整合装置８０には用紙搬送路２８から用紙Ｐ（ＰＳ，ＰＬ）が送り込まれる。
【００３０】
用紙整合装置８０は、給紙装置２０側の用紙搬送路２８と画像形成部１８との間を接続する用紙搬送路８２、用紙搬送路８２の上流側に配置された一対の搬送ロール（補助ロール）８４及び下流側に配置された一対のレジストロール（補正ロール）８６、図示は省略したがそれらの各ロールを回転可能に支持する支持機構、各ロールを回転駆動する駆動源としてのモータ、及びモータの回転力を各ロールに伝える回転力伝達機構等を備えており、搬送ロール８４の回転により用紙Ｐを下流側へ搬送し、停止させたレジストロール８６に用紙先端を突き当ててループを形成することにより、搬送方向に対する用紙Ｐの曲がりを補正する（ループアライニング）。そして、曲がり補正後に所定のタイミング（画像形成タイミング）でレジストロール８６及び搬送ロール８４を回転させ、用紙Ｐを画像形成部１８に送り込む。
【００３１】
また、この画像形成装置１０の用紙搬送系は、用紙Ｐを用紙搬送路２８，８２の幅方向における略中央基準で搬送する、すなわちその略中央に用紙幅方向の略中央を位置合わせした状態で搬送するセンターレジ方式とされている。
【００３２】
画像形成装置１０は以上の構成とされており、この画像形成装置１０では、自動原稿送り装置１４から送り込まれた原稿の画像を、原稿読み取り部１６で読み取り画像信号に変換し、その画像信号に基づき画像形成部１８で、給紙カセット２２Ａ，２２Ｂ，２４Ａ，２４Ｂから給紙機構２６Ａ，２６Ｂ，２６Ｃ，２６Ｄにより送り出され、用紙搬送路２８を搬送ロール対３０により搬送され、用紙整合装置８０により搬送方向に対する曲がりが補正されて供給された用紙Ｐに対し画像を形成することにより、原稿の画像を用紙Ｐに複写する。
【００３３】
（第１の実施形態）
次に、本発明の第１の実施形態に係る給紙機構２６について説明する。
【００３４】
上述したように、給紙機構２６は、分離給紙手段としてのピックアップロール３２、フィードロール３４、リタードロール３６を回転可能に保持するともに、それら各ロールの駆動系等を収容したフレーム４０を備えており、このフレーム４０は、図３（Ｃ）に示すように、板金を所定の形状に切断し成型加工（プレス加工）することで箱状に形成されている。また、図３（Ａ）、（Ｂ）に示すように、本実施形態のフレーム４０では、下部フレーム４０Ａに、下流側の給紙カセット２２Ｂのトレイ３２に積載された用紙ＰＳの後端角部Ｃに対応して、略三角形状の開口部４２が２個形成されている。
【００３５】
これにより、下流側のトレイ３２に積載された用紙ＰＳが低湿環境下でカール等の変形を起こしても、上流側の給紙機構２６Ａでは、フレーム４０の下部フレーム４０Ａに設けられた開口部４２が逃げ部となり、用紙ＰＳの後端角部Ｃが下部フレーム４０Ａに接触しなくなる。よって、下流側の用紙ＰＳに対して上流側の給紙機構２６Ａを離間させなくても、用紙ＰＳの搬送性を確保することができる。これにより、用紙ＰＳの搬送性を確保しつつ、給紙容量の減少が抑えられるようになり、給紙装置２０の小型化が可能になる。
【００３６】
また、このような開口部４０であれば、フレーム４０に簡単に形成できるとともに、下流側の用紙ＰＳの後端角部Ｃに対応させて開口領域を制限していることで、開口部４２を設けることでの下部フレーム４０Ａ及びフレーム４０全体の強度低下が抑えられる。
【００３７】
また、上述したように、給紙装置２０においては、４つの給紙カセット２２Ａ，２２Ｂ，２４Ａ，２４Ｂに対応して設けた４つの給紙機構２６Ａ，２６Ｂ，２６Ｃ，２６Ｄを全て同一構成としていることにより、構成部品の共通化や組立工程の同一化を図ることができ、例えば異なる構成の複数種類の給紙機構を設ける場合に比べて、給紙機構の製造コストが抑えられる。
【００３８】
さらに、本実施形態の給紙装置２０では、大サイズ用紙ＰＬへの画像形成に対応するために、大型の給紙カセット（トレイ）２４Ａ，２４Ｂとそれに対応する給紙機構２６Ｃ，２６Ｄを２組設けているが、それらの給紙カセット２４Ａ，２４Ｂ及び給紙機構２６Ｃ，２６Ｄを、並列配置された給紙カセット（トレイ）２２Ａ，２２Ｂの上方に配置していることで、給紙装置全体を小型に構成することができる。
【００３９】
（第２の実施形態）
次に、本発明の第２の実施形態に係る給紙機構について説明する。
【００４０】
図４（Ａ）、（Ｂ）に示すように、本実施形態の給紙機構２６に設けられたフレーム５０も、第１の実施形態と同様に、成型加工等による板金製であり、図示のように、下部フレーム５０Ａ全体が内側に折り曲げられている。このフレーム５０を備えた給紙機構２６が上流側の給紙カセット２２Ａに対応して給紙装置２０に搭載されると、図４（Ｂ）に示すように、下部フレーム５０Ａは水平面に対し、給紙方向下流側である基端側から給紙方向上流側である先端側へ向けて上り傾斜した状態となる。
【００４１】
これにより、上流側に配置された本実施形態の給紙機構２６Ａでは、下流側のトレイ３２に積載された用紙ＰＳのカール等の変形に対し、下部フレーム５０Ａが離間して逃げるため、用紙ＰＳの後端角部Ｃが下部フレーム５０Ａに接触しなくなる。したがって、本実施形態の場合も、用紙ＰＳの搬送性を確保しつつ、給紙容量の減少が抑えられるようになり、給紙装置２０の小型化が可能になる。
【００４２】
また、このようにフレーム５０を内側に曲げて全体を傾斜させた下部フレーム５０Ａであれば、フレーム５０の強度低下を抑えながら用紙ＰＳとの接触を回避する構成を簡単に形成することができる。
【００４３】
（第３の実施形態）
次に、本発明の第３の実施形態に係る給紙機構について説明する。
【００４４】
図５（Ａ）、（Ｂ）に示すように、本実施形態の給紙機構２６に設けられたフレーム６０では、下部フレーム６０Ａの先端側に、フレーム幅方向に沿って内側に折り曲げられた矩形状の曲げ部６２が設けられている。このフレーム６０を備えた給紙機構２６が上流側の給紙カセット２２Ａに対応して給紙装置２０に搭載されると、図５（Ｂ）に示すように、下部フレーム６０Ａに設けられた曲げ部６２は水平面に対し、給紙方向下流側である基端側から給紙方向上流側である先端側へ向けて上り傾斜した状態となる。
【００４５】
これにより、上流側に配置された本実施形態の給紙機構２６Ａにおいても、下流側のトレイ３２に積載された用紙ＰＳのカール等の変形に対し、用紙ＰＳから離間した下部フレーム６０Ａの曲げ部６２が逃げるため、用紙ＰＳの後端角部Ｃが下部フレーム６０Ａに接触しなくなる。したがって、本実施形態の場合も第１及び第２の実施形態と同様の効果が得られる。
【００４６】
また、このようにフレーム６０の内側に曲げる領域を下部フレーム６０Ａの一部（先端側）とすることにより、下流側の用紙ＰＳの良好な搬送性を確保しつつ、フレーム６０内の部品設置スペースの減少を抑えることができる。
【００４７】
（第４の実施形態）
次に、本発明の第４の実施形態に係る給紙機構について説明する。
【００４８】
図６（Ａ）、（Ｂ）に示すように、本実施形態の給紙機構２６に設けられたフレーム７０では、下部フレーム７０Ａに、下流側の用紙ＰＳの後端角部Ｃに対応して、下部フレーム７０Ａの内側に折り曲げられた三角形状の曲げ部７２が２個設けられている。このフレーム７０を備えた給紙機構２６が上流側の給紙カセット２２Ａに対応して給紙装置２０に搭載されると、図６（Ｂ）に示すように、下部フレーム７０Ａに設けられた曲げ部７２は水平面に対し、曲げ部基端側から先端側へ向けて上り傾斜した状態となる。
【００４９】
これにより、上流側に配置された本実施形態の給紙機構２６Ａでは、下流側のトレイ３２に積載された用紙ＰＳのカール等の変形に対し、用紙ＰＳから離間した下部フレーム７０Ａの曲げ部７２が逃げるため、用紙ＰＳの後端角部Ｃが下部フレーム７０Ａに接触しなくなる。したがって、本実施形態の場合も第１〜第３の実施形態と同様の効果が得られる。
【００５０】
また、このようにフレーム７０の内側に曲げる領域を下部フレーム７０Ａの必要領域のみとすることにより、下流側の用紙ＰＳの良好な搬送性を確保しつつ、フレーム６０内の部品設置スペースの減少を最小限に抑えることができる。
【００５１】
以上、本発明を上述した第１〜第４の実施形態により詳細に説明したが、本発明はそれらに限定されるものではなく、本発明の範囲内にて他の種々の形態が実施可能である。
【００５２】
例えば、第１の実施形態で説明した開口部４０の形状や、第３及び第４の実施形態で説明した曲げ部６２，７２の形状及び傾斜角度等は、フレームの必要強度、用紙との位置関係や距離、用紙変形量等の条件に応じて適宜設定することができる。また、フレームの下面部には、上述した開口部と曲げ部を組み合わせて設けることも可能である。
【００５３】
また本発明は、上述した複写機に限らず、レーザプリンタやインクジェットプリンタ等の他の画像形成装置、及びそれらのプリンタ等の搭載される給紙装置にも適用することができる。さらに本発明は、シート状の記録媒体を供給する上述したような給紙装置に限らず、高分子フィルム等のシートを加工するための供給用に使用されるシート供給装置にも適用することができる。
【図面の簡単な説明】
【００５４】
【図１】本発明の一実施形態に係る画像形成装置の概略構成を示す構成図である。
【図２】図１の画像形成装置に搭載された給紙装置の概略構成を示す構成図である。
【図３】本発明の第１の実施形態に係る給紙機構を示す（Ａ）は縦断面、（Ｂ）は下面図、（Ｃ）は給紙機構のフレームのみを示す斜視図である。
【図４】（Ａ）は本発明の第２の実施形態に係る給紙機構に設けられたフレームを示す斜視図、（Ｂ）は給紙機構を示す縦断面である。
【図５】（Ａ）は本発明の第３の実施形態に係る給紙機構に設けられたフレームを示す斜視図、（Ｂ）は給紙機構を示す縦断面である。
【図６】（Ａ）は本発明の第４の実施形態に係る給紙機構に設けられたフレームを示す斜視図、（Ｂ）は給紙機構を示す（Ａ）の６Ｂ−６Ｂ線断面で見た縦断面である。
【図７】（Ａ）は従来の給紙機構に用紙が接触した状態を示す縦断面、（Ｂ）は（Ａ）の矢印７Ｂ方向から見た側面図である。
【符号の説明】
【００５５】
１０   画像形成装置
１８   画像形成部
２０   給紙装置
２２Ａ，２２Ｂ，２４Ａ，２４Ｂ     給紙カセット（トレイ）
２６Ａ，２６Ｂ，２６Ｃ，２６Ｄ     給紙機構
３２   トレイ
４０   フレーム
４０Ａ 下部フレーム（下面部）
４２   開口部（接触回避手段）
５０   フレーム
５０Ａ 下部フレーム（下面部／接触回避手段）
６０   フレーム
６０Ａ 下部フレーム（下面部）
６２   曲げ部（接触回避手段）
７０   フレーム
７０Ａ 下部フレーム（下面部）
７２   曲げ部（接触回避手段）
Ｐ     用紙（シート／記録媒体）
ＰＳ   用紙（シート／記録媒体）
ＰＬ   用紙（シート／記録媒体）
【図１】
2007119092.tif 000003
【図２】
2007119092.tif 000004
【図３】
2007119092.tif 000005
【図４】
2007119092.tif 000006
【図５】
2007119092.tif 000007
【図６】
2007119092.tif 000008
【図７】
2007119092.tif 000009